(57)【特許請求の範囲】
【請求項１】
複数のフランチャイズ店舗に個々に設置されて店頭販売商品を付与されている商品ＩＤ（Ｉｄｅｎｔｉｔｙ）データで販売処理して販売履歴データを生成する販売処理装置の近傍に併設される商品出荷メーカのユーザ操作端末であって、
一般ユーザに入力操作されるタッチパネルと、
複数種類の前記店頭販売商品ごとに少なくとも前記商品ＩＤデータと各種の商品属性データと販売価格データとが設定されている販売商品データを記憶する商品記憶部と、
複数種類の前記店頭販売商品の少なくとも一部とともに一般ユーザに提供される複数種類のクロスセリング商品ごとに前記各種の商品属性データと販売価格データとが設定されているクロスセル商品データを記憶するクロスセル記憶部と、
前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶部と、
記憶されている前記ハイパーメディアの前記商品選定画面を前記一般ユーザの入力操作に対応して前記タッチパネルに切換表示させるメディア表示部と、
切換表示される前記商品選定画面により選定された前記店頭販売商品の前記商品ＩＤデータで前記販売商品データを検索する商品検索部と、
検索された前記販売商品データと前記商品属性データが整合するとともに前記販売価格データが対応する前記クロスセル商品データを抽出するクロスセル抽出部と、を有し、
前記メディア表示部は、抽出された前記クロスセル商品データの前記クロスセリング商品をクロスセリングする前記商品選定画面も前記タッチパネルに表示出力させ、
前記クロスセル抽出部は、前記商品選定画面の切換表示により選定された前記店頭販売商品の前記販売価格データと抽出する前記クロスセル商品データの前記販売価格データとの割合を所定操作に対応して段階的に切り換える、
ユーザ操作端末。
【請求項２】
前記販売商品データの少なくとも一部と前記クロスセル商品データの少なくとも一部との組み合わせをクロスセルセットデータとして記憶するクロスセリング管理部を、さらに有し、
前記クロスセル抽出部は、検索された前記販売商品データに整合する前記クロスセルセットデータで該当する前記クロスセル商品データを抽出する請求項１に記載のユーザ操作端末。
【請求項３】
前記クロスセリング管理部は、複数の前記販売商品データと少なくとも一つの前記クロスセル商品データとの組み合わせを前記クロスセルセットデータとして記憶し、
前記商品検索部は、切換表示される前記商品選定画面により選定された複数の前記店頭販売商品の前記商品ＩＤデータで複数の前記販売商品データを検索し、
前記クロスセル抽出部は、検索された複数の前記販売商品データに整合する前記クロスセルセットデータで該当する前記クロスセル商品データを抽出する請求項２に記載のユーザ操作端末。
【請求項４】
前記クロスセル記憶部は、前記販売商品データの少なくとも一部を前記クロスセル商品データとして記憶する、
請求項１に記載のユーザ操作端末。
【請求項５】
前記ユーザ操作端末は、切換表示される前記商品選定画面により選定された前記店頭販売商品の前記商品ＩＤデータを特定の入力操作に対応して前記販売処理装置に送信するＩＤ提供部を、さらに有する請求項１ないし４の何れか一項に記載のユーザ操作端末。
【請求項６】
前記メディア表示部は、前記一般ユーザの入力操作により選定された前記店頭販売商品とともに前記クロスセリング商品を提示する前記商品選定画面を前記タッチパネルに表示出力させる請求項１ないし５の何れか一項に記載のユーザ操作端末。
【請求項７】
前記メディア表示部は、前記一般ユーザの入力操作により選定された前記店頭販売商品を提示する前記商品選定画面を前記タッチパネルに切換表示させてから前記クロスセリング商品を提示する前記商品選定画面を切換表示させる請求項１ないし５の何れか一項に記載のユーザ操作端末。
【請求項８】
前記ユーザ操作端末は、前記店頭販売商品に付与されている前記商品ＩＤデータを取得するＩＤ取得部を、さらに有し、
前記メディア表示部は、取得された前記商品ＩＤデータに対応した前記商品選定画面を前記タッチパネルに表示出力させる請求項１ないし７の何れか一項に記載のユーザ操作端末。
【請求項９】
前記店頭販売商品の少なくとも一部がタバコパックからなる請求項１ないし８の何れか一項に記載のユーザ操作端末。
【請求項１０】
複数のフランチャイズ店舗に個々に設置されて店頭販売商品を付与されている商品ＩＤデータで販売処理して販売履歴データを生成する販売処理装置と、商品出荷メーカに設置されて少なくとも出荷して販売された前記店頭販売商品の前記販売履歴データを管理するメーカ管理装置と、を有するフランチャイズアドオンシステムであって、
一般ユーザに入力操作されるタッチパネルを有して前記販売処理装置の近傍に併設されるユーザ操作端末を有し、
前記ユーザ操作端末は、複数種類の前記店頭販売商品ごとに少なくとも前記商品ＩＤデータと各種の商品属性データと販売価格データとが設定されている販売商品データを記憶する商品記憶部と、複数種類の前記店頭販売商品の少なくとも一部とともに一般ユーザに提供される複数種類のクロスセリング商品ごとに前記各種の商品属性データと販売価格データとが設定されているクロスセル商品データを記憶するクロスセル記憶部と、前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶部と、記憶されている前記ハイパーメディアの前記商品選定画面を前記一般ユーザの入力操作に対応して前記タッチパネルに切換表示させるメディア表示部と、切換表示される前記商品選定画面により選定された前記店頭販売商品の前記商品ＩＤデータで前記販売商品データを検索する商品検索部と、検索された前記販売商品データと前記商品属性データが整合するとともに前記販売価格データが対応する前記クロスセル商品データを抽出するクロスセル抽出部と、を有し、
前記メディア表示部は、抽出された前記クロスセル商品データの前記クロスセリング商品をクロスセリングする前記商品選定画面も前記タッチパネルに表示出力させ、
前記クロスセル抽出部は、前記商品選定画面の切換表示により選定された前記店頭販売商品の前記販売価格データと抽出する前記クロスセル商品データの前記販売価格データとの割合を所定操作に対応して段階的に切り換える、
フランチャイズアドオンシステム。
【請求項１１】
複数のフランチャイズ店舗に個々に設置されて店頭販売商品を付与されている商品ＩＤデータで販売処理して販売履歴データを生成する販売処理装置と、商品出荷メーカに設置されて少なくとも出荷して販売された前記店頭販売商品の前記販売履歴データを管理するメーカ管理装置と、を有するフランチャイズアドオンシステムであって、
一般ユーザに入力操作されるタッチパネルを有して前記販売処理装置の近傍に併設されるユーザ操作端末を有し、
前記メーカ管理装置は、複数種類の前記店頭販売商品ごとに少なくとも前記商品ＩＤデータと各種の商品属性データと販売価格データとが設定されている販売商品データを記憶する商品記憶部と、複数種類の前記店頭販売商品の少なくとも一部とともに一般ユーザに提供される複数種類のクロスセリング商品ごとに前記各種の商品属性データと販売価格データとが設定されているクロスセル商品データを記憶するクロスセル記憶部と、前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶部と、記憶されている少なくとも前記ハイパーメディアを前記ユーザ操作端末に提供するデータ提供部と、を有し、
前記ユーザ操作端末は、前記メーカ管理装置から前記ハイパーメディアを取得するメディア取得部と、取得される前記ハイパーメディアの前記商品選定画面を前記一般ユーザの入力操作に対応して前記タッチパネルに切換表示させるメディア表示部と、切換表示される前記商品選定画面により選定された前記店頭販売商品の前記商品ＩＤデータを特定の入力操作に対応して前記メーカ管理装置に送信するＩＤ送信部と、を有し、
前記メーカ管理装置は、前記ユーザ操作端末から前記商品ＩＤデータを受信するＩＤ受信部と、受信された前記商品ＩＤデータで前記販売商品データを検索する商品検索部と、検索された前記販売商品データと前記商品属性データが整合するとともに前記販売価格データが対応する前記クロスセル商品データを抽出するクロスセル抽出部と、抽出された前記クロスセル商品データを前記ユーザ操作端末に返信するＩＤ返信部とを、さらに有し、
前記クロスセル抽出部は、前記商品選定画面の切換表示により選定された前記店頭販売商品の前記販売価格データと抽出する前記クロスセル商品データの前記販売価格データとの割合を所定操作に対応して段階的に切り換え、
前記ユーザ操作端末は、前記メディア表示部が前記メーカ管理装置から返信された前記クロスセル商品データの前記クロスセリング商品をクロスセリングする前記商品選定画面も前記タッチパネルに表示出力させるフランチャイズアドオンシステム。
【請求項１２】
前記メーカ管理装置は、前記販売商品データの少なくとも一部と前記クロスセル商品データの少なくとも一部との組み合わせをクロスセルセットデータとして記憶するクロスセリング管理部を、さらに有し、
前記クロスセル抽出部は、検索された前記販売商品データに整合する前記クロスセルセットデータで該当する前記クロスセル商品データを抽出する請求項１１に記載のフランチャイズアドオンシステム。
【請求項１３】
前記クロスセリング管理部は、複数の前記販売商品データと少なくとも一つの前記クロスセル商品データとの組み合わせを前記クロスセルセットデータとして記憶し、
前記商品検索部は、切換表示される前記商品選定画面により選定された複数の前記店頭販売商品の前記商品ＩＤデータで複数の前記販売商品データを検索し、
前記クロスセル抽出部は、検索された複数の前記販売商品データに整合する前記クロスセルセットデータで該当する前記クロスセル商品データを抽出する請求項１２に記載のフランチャイズアドオンシステム。
【請求項１４】
前記クロスセル記憶部は、前記販売商品データの少なくとも一部を前記クロスセル商品データとして記憶する、
請求項１３に記載のフランチャイズアドオンシステム。
【請求項１５】
前記ユーザ操作端末は、切換表示される前記商品選定画面により選定された前記店頭販売商品の前記商品ＩＤデータを特定の入力操作に対応して前記販売処理装置に送信するＩＤ提供部を、さらに有し、
前記販売処理装置は、入力される前記商品ＩＤデータで前記店頭販売商品を販売処理して前記販売履歴データを生成する販売処理部を有する請求項１０ないし１４の何れか一項に記載のフランチャイズアドオンシステム。
【請求項１６】
請求項１１に記載のフランチャイズアドオンシステムの前記メーカ管理装置であって、
複数種類の前記店頭販売商品ごとに少なくとも前記商品ＩＤデータと各種の商品属性データと販売価格データとが設定されている販売商品データを記憶する商品記憶部と、
複数種類の前記店頭販売商品の少なくとも一部とともに一般ユーザに提供される複数種類のクロスセリング商品ごとに前記各種の商品属性データと販売価格データとが設定されているクロスセル商品データを記憶するクロスセル記憶部と、
前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶部と、
記憶されている少なくとも前記ハイパーメディアを前記ユーザ操作端末に提供するデータ提供部と、
前記ユーザ操作端末から前記商品ＩＤデータを受信するＩＤ受信部と、
受信された前記商品ＩＤデータで前記販売商品データを検索する商品検索部と、
検索された前記販売商品データと前記商品属性データが整合するとともに前記販売価格データが対応する前記クロスセル商品データを抽出するクロスセル抽出部と、
抽出された前記クロスセル商品データを前記ユーザ操作端末に返信するＩＤ返信部と、
を有し、
前記クロスセル抽出部は、前記商品選定画面の切換表示により選定された前記店頭販売商品の前記販売価格データと抽出する前記クロスセル商品データの前記販売価格データとの割合を所定操作に対応して段階的に切り換える、
メーカ管理装置。
【請求項１７】
請求項１に記載のユーザ操作端末のためのコンピュータプログラムであって、
複数種類の前記店頭販売商品ごとに少なくとも前記商品ＩＤデータと各種の商品属性データと販売価格データとが設定されている販売商品データを記憶する商品記憶処理と、
複数種類の前記店頭販売商品の少なくとも一部とともに一般ユーザに提供される複数種類のクロスセリング商品ごとに前記各種の商品属性データと販売価格データとが設定されているクロスセル商品データを記憶するクロスセル記憶処理と、
前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶処理と、
記憶されている前記ハイパーメディアの前記商品選定画面を前記一般ユーザの入力操作に対応して前記タッチパネルに切換表示させるメディア表示処理と、
切換表示される前記商品選定画面により選定された前記店頭販売商品の前記商品ＩＤデータで前記販売商品データを検索する商品検索処理と、
検索された前記販売商品データと前記商品属性データが整合するとともに前記販売価格データが対応する前記クロスセル商品データを抽出するクロスセル抽出処理と、を有し、
前記メディア表示処理として、抽出された前記クロスセル商品データの前記クロスセリング商品をクロスセリングする前記商品選定画面も前記タッチパネルに表示出力させ、
前記クロスセル抽出処理として、前記商品選定画面の切換表示により選定された前記店頭販売商品の前記販売価格データと抽出する前記クロスセル商品データの前記販売価格データとの割合を所定操作に対応して段階的に切り換える、
コンピュータプログラム。
【請求項１８】
請求項１６に記載の前記メーカ管理装置のためのコンピュータプログラムであって、
複数種類の前記店頭販売商品ごとに少なくとも前記商品ＩＤデータと各種の商品属性データと販売価格データとが設定されている販売商品データを記憶する商品記憶処理と、
複数種類の前記店頭販売商品の少なくとも一部とともに一般ユーザに提供される複数種類のクロスセリング商品ごとに前記各種の商品属性データと販売価格データとが設定されているクロスセル商品データを記憶するクロスセル記憶処理と、
前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶処理と、
記憶されている少なくとも前記ハイパーメディアを前記ユーザ操作端末に提供するデータ提供処理と、
前記ユーザ操作端末から前記商品ＩＤデータを受信するＩＤ受信処理と、
受信された前記商品ＩＤデータで前記販売商品データを検索する商品検索処理と、
検索された前記販売商品データと前記商品属性データが整合するとともに前記販売価格データが対応する前記クロスセル商品データを抽出するクロスセル抽出処理と、
抽出された前記クロスセル商品データを前記ユーザ操作端末に返信するＩＤ返信処理と、
を有し、
前記クロスセル抽出処理として、前記商品選定画面の切換表示により選定された前記店頭販売商品の前記販売価格データと抽出する前記クロスセル商品データの前記販売価格データとの割合を所定操作に対応して段階的に切り換える、
コンピュータプログラム。
【発明の詳細な説明】
【技術分野】
【０００１】
本発明は、商品ＩＤデータが付与されている店頭販売商品を一般消費者に販売するフランチャイズ店舗で利用されるユーザ操作端末、フランチャイズアドオンシステム、メーカ管理装置、コンピュータプログラム、に関する。
【背景技術】
【０００２】
現在、店頭販売商品の販売方法として各種があり、その一つとしてクロスセリングがある。このクロスセリングとは、一般ユーザが特定の店頭販売商品の購入を希望したとき、その店頭販売商品に関連する店頭販売商品の同時購入なども推奨することである。
【０００３】
このようなクロスセリングは、例えば、店舗作業員が独自に実行していることもあり、商品出荷メーカにより特定の店頭販売商品の組み合わせなどで指定されていることもある。
【０００４】
一方、店頭販売商品を販売する店舗としては、いわゆるコンビニエンスストアなどのフランチャイズ店舗がある。このようなフランチャイズ店舗では、いわゆる什器や商品ラックなどに様々な店頭販売商品が陳列されて販売されている。
【０００５】
なお、上述のようなフランチャイズ店舗では、いわゆるＰＯＳ(Point Of Sales)端末や電子キャッシュレジスタなどと呼称される販売処理装置が設置されている。この販売処理装置は、店頭販売商品を付与されている商品ＩＤデータで販売処理して販売履歴データを生成する。
【０００６】
より具体的には、一般的な販売処理装置は、キーボードユニットやバーコードリーダを有する。一方、店頭販売商品には商品ＩＤデータであるＪＡＮ（Ｊａｐａｎｅｓｅ  Ａｒｔｉｃｌｅ  Ｎｕｍｂｅｒ）コードが、バーコード画像および数列テキストとして表記されている。
【０００７】
そこで、そのバーコード画像をバーコードリーダに光学読取させたり、数列テキストをキーボードユニットに入力操作することで、商品ＩＤデータが販売処理装置に入力されて販売処理される。
【０００８】
上述のようなフランチャイズ店舗の販売処理装置は、いわゆるフランチャイズ本部の本部管理装置などに接続されている。この本部管理装置は、販売処理装置から販売履歴データを受信して管理する。
【０００９】
さらに、このようにフランチャイズシステムの本部管理装置で収集された販売履歴データは、例えば、その店頭販売商品の商品出荷メーカに設置されているメーカ管理装置にオンラインで提供される。
【００１０】
上述のようなフランチャイズ店舗での商品販売を支援する各種の提案がある(例えば、特許文献１〜５参照)。
【特許文献１】特開２００６−１２９２６８号公報
【特許文献２】特開２００４−３０３２２８号公報
【特許文献３】特開２００６−０９２３８４号公報
【特許文献４】特開２００１−３３８３４５号公報
【特許文献５】特開平１１−０８６１３５号公報
【発明の開示】
【発明が解決しようとする課題】
【００１１】
しかし、上述のようなフランチャイズ店舗ではクロスセリングを効果的に実施することが困難である。つまり、タバコパックなどの一部の店頭販売商品は、一般ユーザによるアクセスが容易ではない、いわゆるレジ裏に設置された什器や商品ラックに陳列されている。
【００１２】
そこで、このような店頭販売商品を一般ユーザが購入する場合には、口頭にて店舗レジ位置の店舗作業員に商品購入を指示している。このような販売方式でクロスセリングを実施するためには、一般ユーザが購入を所望する店頭販売商品に対応し、対応する特定の店頭販売商品を店舗作業員が推奨することになる。
【００１３】
しかし、その推奨される店頭販売商品が一般ユーザにとって既知でないことが多々ある。このような場合、店舗作業員が推奨する店頭販売商品を一般ユーザに口頭で説明することになり、店舗作業員と一般ユーザとに多大な時間と手間が必要となる。
【００１４】
このため、上述のように一般ユーザのアクセスが容易ではない店頭販売商品では特に、そのＬＴＶ(Ｌｉｆｅ  Ｔｉｍｅ  Ｖａｌｕｅ)とリテンションが無為に低下することとなっている。
【００１５】
本発明は上述のような課題に鑑みてなされたものであり、タバコパックなどのように一般ユーザによるアクセスが容易ではない店頭販売商品などでも、適切なクロスセリングによりＬＴＶとリテンションを向上させることができるユーザ操作端末、フランチャイズアドオンシステム、メーカ管理装置、コンピュータプログラム、を提供するものである。
【課題を解決するための手段】
【００１６】
本発明の第一のユーザ操作端末は、複数のフランチャイズ店舗に個々に設置されて店頭販売商品を付与されている商品ＩＤデータで販売処理して販売履歴データを生成する販売処理装置の近傍に併設される商品出荷メーカのユーザ操作端末であって、一般ユーザに入力操作されるタッチパネルと、複数種類の店頭販売商品ごとに少なくとも商品ＩＤデータが設定されている販売商品データを記憶する商品記憶部と、複数種類の店頭販売商品の少なくとも一部とともに一般ユーザに提供される複数種類のクロスセリング商品ごとにクロスセル商品データを記憶するクロスセル記憶部と、一般ユーザの入力操作に対応して店頭販売商品を段階的に選定する商品選定画面をユーザ操作端末に表示出力させて商品ＩＤデータを発生するハイパーメディアを記憶するメディア記憶部と、記憶されているハイパーメディアの商品選定画面を一般ユーザの入力操作に対応してタッチパネルに切換表示させるメディア表示部と、切換表示される商品選定画面により選定された店頭販売商品の商品ＩＤデータで販売商品データを検索する商品検索部と、検索された販売商品データに対応してクロスセル商品データを抽出するクロスセル抽出部と、を有し、メディア表示部は、抽出されたクロスセル商品データのクロスセリング商品をクロスセリングする商品選定画面もタッチパネルに表示出力させる。
【００１７】
本発明の第二のユーザ操作端末は、複数のフランチャイズ店舗に個々に設置されて店頭販売商品を付与されている商品ＩＤデータで販売処理して販売履歴データを生成する販売処理装置の近傍に併設される商品出荷メーカのユーザ操作端末であって、一般ユーザに入力操作されるタッチパネルと、商品出荷メーカに設置されて少なくとも出荷して販売された店頭販売商品の販売履歴データを管理するメーカ管理装置から一般ユーザの入力操作に対応して店頭販売商品を段階的に選定する商品選定画面をユーザ操作端末に表示出力させて商品ＩＤデータを発生するハイパーメディアを取得するメディア取得部と、取得されるハイパーメディアの商品選定画面を一般ユーザの入力操作に対応してタッチパネルに切換表示させるメディア表示部と、切換表示される商品選定画面により選定された店頭販売商品の商品ＩＤデータを特定の入力操作に対応してメーカ管理装置に送信するＩＤ送信部と、を有し、メディア表示部は、送信した商品ＩＤデータに対応してメーカ管理装置から返信されるクロスセル商品データで店頭販売商品とともに提供されるクロスセリング商品の商品選定画面もタッチパネルに表示出力させる。
【００１８】
従って、本発明のユーザ操作端末は、複数のフランチャイズ店舗に個々に設置されて店頭販売商品を付与されている商品ＩＤデータで販売処理して販売履歴データを生成する販売処理装置の近傍に併設される。そのタッチパネルが一般ユーザにより入力操作されると、その入力操作に対応してハイパーメディアの商品選定画面が切換表示されて段階的に店頭販売商品が選定される。このように切換表示される商品選定画面により選定された店頭販売商品の商品ＩＤデータで販売商品データが検索され、検索された販売商品データに対応するクロスセル商品データが抽出される。すると、抽出されたクロスセル商品データのクロスセリング商品をクロスセリングする商品選定画面もタッチパネルに表示出力される。このため、タバコパックなどのように一般ユーザによるアクセスが容易ではない店頭販売商品でも、一般ユーザが所望する店頭販売商品に対応したクロスセリング商品が自動的にクロスセリングされる。
【００１９】
また、上述のようなユーザ操作端末において、販売商品データの少なくとも一部とクロスセル商品データの少なくとも一部との組み合わせをクロスセルセットデータとして記憶するクロスセリング管理部を、さらに有し、クロスセル抽出部は、検索された販売商品データに整合するクロスセルセットデータで該当するクロスセル商品データを抽出してもよい。
【００２０】
また、上述のようなユーザ操作端末において、クロスセリング管理部は、複数の販売商品データと少なくとも一つのクロスセル商品データとの組み合わせをクロスセルセットデータとして記憶し、商品検索部は、切換表示される商品選定画面により選定された複数の店頭販売商品の商品ＩＤデータで複数の販売商品データを検索し、クロスセル抽出部は、検索された複数の販売商品データに整合するクロスセルセットデータで該当するクロスセル商品データを抽出してもよい。
【００２１】
また、上述のようなユーザ操作端末において、商品記憶部は、複数種類の店頭販売商品ごとに少なくとも商品ＩＤデータと各種の商品属性データが設定されている販売商品データを記憶し、クロスセル記憶部は、商品属性データが設定されているクロスセル商品データを記憶し、クロスセル抽出部は、検索された販売商品データと商品属性データが整合するクロスセル商品データを抽出してもよい。
【００２２】
また、上述のようなユーザ操作端末において、商品記憶部は、複数種類の店頭販売商品ごとに少なくとも商品ＩＤデータと各種の商品属性データが設定されている販売商品データを記憶し、クロスセル記憶部は、販売商品データの少なくとも一部をクロスセル商品データとして記憶し、クロスセル抽出部は、検索された販売商品データと商品属性データが整合するクロスセル商品データを抽出してもよい。
【００２３】
また、上述のようなユーザ操作端末において、商品記憶部は、複数種類の店頭販売商品ごとに少なくとも商品ＩＤデータと各種の商品属性データと販売価格データとが設定されている販売商品データを記憶し、クロスセル抽出部は、検索された販売商品データと商品属性データが整合するとともに販売価格データが対応するクロスセル商品データを抽出してもよい。
【００２４】
また、上述のようなユーザ操作端末において、クロスセル抽出部は、商品選定画面の切換表示により選定された店頭販売商品の販売価格データと抽出するクロスセル商品データの販売価格データとの割合を所定操作に対応して段階的に切り換えてもよい。
【００２５】
また、上述のようなユーザ操作端末において、ユーザ操作端末は、切換表示される商品選定画面により選定された店頭販売商品の商品ＩＤデータを特定の入力操作に対応して販売処理装置に送信するＩＤ提供部を、さらに有してもよい。
【００２６】
また、上述のようなユーザ操作端末において、メディア表示部は、一般ユーザの入力操作により選定された店頭販売商品とともにクロスセリング商品を提示する商品選定画面をタッチパネルに表示出力させてもよい。
【００２７】
また、上述のようなユーザ操作端末において、メディア表示部は、一般ユーザの入力操作により選定された店頭販売商品を提示する商品選定画面をタッチパネルに切換表示させてからクロスセリング商品を提示する商品選定画面を切換表示させてもよい。
【００２８】
また、上述のようなユーザ操作端末において、ユーザ操作端末は、店頭販売商品に付与されている商品ＩＤデータを取得するＩＤ取得部を、さらに有し、メディア表示部は、取得された商品ＩＤデータに対応した商品選定画面をタッチパネルに表示出力させてもよい。
【００２９】
また、上述のようなユーザ操作端末において、店頭販売商品の少なくとも一部がタバコパックからなってもよい。
【００３０】
本発明の第一のフランチャイズアドオンシステムは、複数のフランチャイズ店舗に個々に設置されて店頭販売商品を付与されている商品ＩＤデータで販売処理して販売履歴データを生成する販売処理装置と、商品出荷メーカに設置されて少なくとも出荷して販売された店頭販売商品の販売履歴データを管理するメーカ管理装置と、を有するフランチャイズアドオンシステムであって、一般ユーザに入力操作されるタッチパネルを有して販売処理装置の近傍に併設されるユーザ操作端末を有し、ユーザ操作端末は、複数種類の店頭販売商品ごとに少なくとも商品ＩＤデータが設定されている販売商品データを記憶する商品記憶部と、複数種類の店頭販売商品の少なくとも一部とともに一般ユーザに提供される複数種類のクロスセリング商品ごとにクロスセル商品データを記憶するクロスセル記憶部と、一般ユーザの入力操作に対応して店頭販売商品を段階的に選定する商品選定画面をユーザ操作端末に表示出力させて商品ＩＤデータを発生するハイパーメディアを記憶するメディア記憶部と、記憶されているハイパーメディアの商品選定画面を一般ユーザの入力操作に対応してタッチパネルに切換表示させるメディア表示部と、切換表示される商品選定画面により選定された店頭販売商品の商品ＩＤデータで販売商品データを検索する商品検索部と、検索された販売商品データに対応してクロスセル商品データを抽出するクロスセル抽出部と、を有し、メディア表示部は、抽出されたクロスセル商品データのクロスセリング商品をクロスセリングする商品選定画面もタッチパネルに表示出力させる。
【００３１】
本発明の第二のフランチャイズアドオンシステムは、複数のフランチャイズ店舗に個々に設置されて店頭販売商品を付与されている商品ＩＤデータで販売処理して販売履歴データを生成する販売処理装置と、商品出荷メーカに設置されて少なくとも出荷して販売された店頭販売商品の販売履歴データを管理するメーカ管理装置と、を有するフランチャイズアドオンシステムであって、一般ユーザに入力操作されるタッチパネルを有して販売処理装置の近傍に併設されるユーザ操作端末を有し、メーカ管理装置は、複数種類の店頭販売商品ごとに少なくとも商品ＩＤデータが設定されている販売商品データを記憶する商品記憶部と、複数種類の店頭販売商品の少なくとも一部とともに一般ユーザに提供される複数種類のクロスセリング商品ごとにクロスセル商品データを記憶するクロスセル記憶部と、一般ユーザの入力操作に対応して店頭販売商品を段階的に選定する商品選定画面をユーザ操作端末に表示出力させて商品ＩＤデータを発生するハイパーメディアを記憶するメディア記憶部と、記憶されている少なくともハイパーメディアをユーザ操作端末に提供するデータ提供部と、を有し、ユーザ操作端末は、メーカ管理装置からハイパーメディアを取得するメディア取得部と、取得されるハイパーメディアの商品選定画面を一般ユーザの入力操作に対応してタッチパネルに切換表示させるメディア表示部と、切換表示される商品選定画面により選定された店頭販売商品の商品ＩＤデータを特定の入力操作に対応してメーカ管理装置に送信するＩＤ送信部と、を有し、メーカ管理装置は、ユーザ操作端末から商品ＩＤデータを受信するＩＤ受信部と、受信された商品ＩＤデータで販売商品データを検索する商品検索部と、検索された販売商品データに対応してクロスセル商品データを抽出するクロスセル抽出部と、抽出されたクロスセル商品データをユーザ操作端末に返信するＩＤ返信部とを、さらに有し、ユーザ操作端末は、メディア表示部がメーカ管理装置から返信されたクロスセル商品データのクロスセリング商品をクロスセリングする商品選定画面もタッチパネルに表示出力させる。
【００３２】
また、上述のようなフランチャイズアドオンシステムにおいて、メーカ管理装置は、販売商品データの少なくとも一部とクロスセル商品データの少なくとも一部との組み合わせをクロスセルセットデータとして記憶するクロスセリング管理部を、さらに有し、クロスセル抽出部は、検索された販売商品データに整合するクロスセルセットデータで該当するクロスセル商品データを抽出してもよい。
【００３３】
また、上述のようなフランチャイズアドオンシステムにおいて、クロスセリング管理部は、複数の販売商品データと少なくとも一つのクロスセル商品データとの組み合わせをクロスセルセットデータとして記憶し、商品検索部は、切換表示される商品選定画面により選定された複数の店頭販売商品の商品ＩＤデータで複数の販売商品データを検索し、クロスセル抽出部は、検索された複数の販売商品データに整合するクロスセルセットデータで該当するクロスセル商品データを抽出してもよい。
【００３４】
また、上述のようなフランチャイズアドオンシステムにおいて、商品記憶部は、複数種類の店頭販売商品ごとに少なくとも商品ＩＤデータと各種の商品属性データが設定されている販売商品データを記憶し、クロスセル記憶部は、商品属性データが設定されているクロスセル商品データを記憶し、クロスセル抽出部は、検索された販売商品データと商品属性データが整合するクロスセル商品データを抽出してもよい。
【００３５】
また、上述のようなフランチャイズアドオンシステムにおいて、商品記憶部は、複数種類の店頭販売商品ごとに少なくとも商品ＩＤデータと各種の商品属性データが設定されている販売商品データを記憶し、クロスセル記憶部は、販売商品データの少なくとも一部をクロスセル商品データとして記憶し、クロスセル抽出部は、検索された販売商品データと商品属性データが整合するクロスセル商品データを抽出してもよい。
【００３６】
また、上述のようなフランチャイズアドオンシステムにおいて、商品記憶部は、複数種類の店頭販売商品ごとに少なくとも商品ＩＤデータと各種の商品属性データと販売価格データとが設定されている販売商品データを記憶し、クロスセル抽出部は、検索された販売商品データと商品属性データが整合するとともに販売価格データが対応するクロスセル商品データを抽出してもよい。
【００３７】
また、上述のようなフランチャイズアドオンシステムにおいて、クロスセル抽出部は、商品選定画面の切換表示により選定された店頭販売商品の販売価格データと抽出するクロスセル商品データの販売価格データとの割合を所定操作に対応して段階的に切り換えてもよい。
【００３８】
また、上述のようなフランチャイズアドオンシステムにおいて、ユーザ操作端末は、切換表示される商品選定画面により選定された店頭販売商品の商品ＩＤデータを特定の入力操作に対応して販売処理装置に送信するＩＤ提供部を、さらに有し、販売処理装置は、入力される商品ＩＤデータで店頭販売商品を販売処理して販売履歴データを生成する販売処理部を有してもよい。
【００３９】
本発明のメーカ管理装置は、本発明のフランチャイズアドオンシステムのメーカ管理装置であって、複数種類の店頭販売商品ごとに少なくとも商品ＩＤデータが設定されている販売商品データを記憶する商品記憶部と、複数種類の店頭販売商品の少なくとも一部とともに一般ユーザに提供される複数種類のクロスセリング商品ごとにクロスセル商品データを記憶するクロスセル記憶部と、一般ユーザの入力操作に対応して店頭販売商品を段階的に選定する商品選定画面をユーザ操作端末に表示出力させて商品ＩＤデータを発生するハイパーメディアを記憶するメディア記憶部と、記憶されている少なくともハイパーメディアをユーザ操作端末に提供するデータ提供部と、ユーザ操作端末から商品ＩＤデータを受信するＩＤ受信部と、受信された商品ＩＤデータで販売商品データを検索する商品検索部と、検索された販売商品データに対応してクロスセル商品データを抽出するクロスセル抽出部と、抽出されたクロスセル商品データをユーザ操作端末に返信するＩＤ返信部と、を有する。
【００４０】
本発明の第一のコンピュータプログラムは、本発明のユーザ操作端末のためのコンピュータプログラムであって、複数種類の店頭販売商品ごとに少なくとも商品ＩＤデータが設定されている販売商品データを記憶する商品記憶処理と、複数種類の店頭販売商品の少なくとも一部とともに一般ユーザに提供される複数種類のクロスセリング商品ごとにクロスセル商品データを記憶するクロスセル記憶処理と、一般ユーザの入力操作に対応して店頭販売商品を段階的に選定する商品選定画面をユーザ操作端末に表示出力させて商品ＩＤデータを発生するハイパーメディアを記憶するメディア記憶処理と、記憶されているハイパーメディアの商品選定画面を一般ユーザの入力操作に対応してタッチパネルに切換表示させるメディア表示処理と、切換表示される商品選定画面により選定された店頭販売商品の商品ＩＤデータで販売商品データを検索する商品検索処理と、検索された販売商品データに対応してクロスセル商品データを抽出するクロスセル抽出処理と、を有し、メディア表示処理として、抽出されたクロスセル商品データのクロスセリング商品をクロスセリングする商品選定画面もタッチパネルに表示出力させる。
【００４１】
本発明の第二のコンピュータプログラムは、本発明のユーザ操作端末のためのコンピュータプログラムであって、メーカ管理装置からハイパーメディアを取得するメディア取得処理と、取得されるハイパーメディアの商品選定画面を一般ユーザの入力操作に対応してタッチパネルに切換表示させるメディア表示処理と、切換表示される商品選定画面により選定された店頭販売商品の商品ＩＤデータを特定の入力操作に対応してメーカ管理装置に送信するＩＤ送信処理と、を有し、メディア表示処理として、メーカ管理装置から返信されたクロスセル商品データのクロスセリング商品をクロスセリングする商品選定画面もタッチパネルに表示出力させる。
【００４２】
本発明の第三のコンピュータプログラムは、本発明のメーカ管理装置のためのコンピュータプログラムであって、複数種類の店頭販売商品ごとに少なくとも商品ＩＤデータが設定されている販売商品データを記憶する商品記憶処理と、複数種類の店頭販売商品の少なくとも一部とともに一般ユーザに提供される複数種類のクロスセリング商品ごとにクロスセル商品データを記憶するクロスセル記憶処理と、一般ユーザの入力操作に対応して店頭販売商品を段階的に選定する商品選定画面をユーザ操作端末に表示出力させて商品ＩＤデータを発生するハイパーメディアを記憶するメディア記憶処理と、記憶されている少なくともハイパーメディアをユーザ操作端末に提供するデータ提供処理と、ユーザ操作端末から商品ＩＤデータを受信するＩＤ受信処理と、受信された商品ＩＤデータで販売商品データを検索する商品検索処理と、検索された販売商品データに対応してクロスセル商品データを抽出するクロスセル抽出処理と、抽出されたクロスセル商品データをユーザ操作端末に返信するＩＤ返信処理と、を有する。
【００４３】
なお、本発明の各種の構成要素は、その機能を実現するように形成されていればよく、例えば、所定の機能を発揮する専用のハードウェア、所定の機能がコンピュータプログラムにより付与されたフランチャイズアドオンシステム、コンピュータプログラムによりフランチャイズアドオンシステムに実現された所定の機能、これらの任意の組み合わせ、等として実現することができる。
【００４４】
また、本発明の各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でよい。
【００４５】
また、本発明で云うハイパーメディアとは、入力操作で切換表示される複数の商品選定画面の画像データを有すればよい。このようなハイパーメディアは、例えば、動画データ、テキストデータ、音声データ、操作アイコン、等の一部ないし全部を有し、それらがハイパーリンクにより接続されているデータ構造などを許容する。
【発明の効果】
【００４６】
本発明のユーザ操作端末は、複数のフランチャイズ店舗に個々に設置されて店頭販売商品を付与されている商品ＩＤデータで販売処理して販売履歴データを生成する販売処理装置の近傍に併設される。そのタッチパネルが一般ユーザにより入力操作されると、その入力操作に対応してハイパーメディアの商品選定画面が切換表示されて段階的に店頭販売商品が選定される。このように切換表示される商品選定画面により選定された店頭販売商品の商品ＩＤデータで販売商品データが検索され、検索された販売商品データに対応するクロスセル商品データが抽出される。すると、抽出されたクロスセル商品データのクロスセリング商品をクロスセリングする商品選定画面もタッチパネルに表示出力される。このため、タバコパックなどのように一般ユーザによるアクセスが容易ではない店頭販売商品でも、一般ユーザが所望する店頭販売商品に対応したクロスセリング商品が自動的にクロスセリングされる。従って、適切なクロスセリングによりＬＴＶとリテンションを向上させることができ、新製品の販売機会損失なども防止することができる。
【発明を実施するための最良の形態】
【００４７】
本発明の実施の一形態を図面を参照して以下に説明する。本実施の形態のフランチャイズアドオンシステム１０００は、図１および図２に示すように、複数のフランチャイズ店舗であるコンビニエンスストアＣＶＳに個々に設置されて店頭販売商品であるタバコパックＳＴＰを付与されている商品ＩＤデータＴＩＤで販売処理して販売履歴データＳＲＤを生成する販売処理装置２００と、少なくとも一つのフランチャイズ本部ＦＣＨに設置されて販売履歴データＳＲＤを収集する本部管理装置３００と、商品出荷メーカＩＦＭに設置されて少なくとも出荷して販売されたタバコパックＳＴＰの販売履歴データＳＲＤを管理するメーカ管理装置５００と、を有する。
【００４８】
このため、図１に示すように、販売処理装置２００は、入力される商品ＩＤデータＴＩＤでタバコパックＳＴＰを販売処理して販売履歴データＳＲＤを生成する販売処理部２１０と、生成された販売履歴データＳＲＤを本部管理装置３００に送信する履歴送信部２２０と、を有する。
【００４９】
また、本部管理装置３００は、複数のコンビニエンスストアＣＶＳの販売処理装置２００から販売履歴データＳＲＤを収集する履歴収集部３１０と、収集された販売履歴データＳＲＤを管理する履歴管理部３２０と、を有する。
【００５０】
さらに、本実施の形態のフランチャイズアドオンシステム１０００は、図４および図５に示すように、一般ユーザに入力操作されるタッチパネル１１１を有して販売処理装置２００の近傍に併設されるユーザ操作端末１００も有する。
【００５１】
つまり、本実施の形態のフランチャイズアドオンシステム１０００は、複数のコンビニエンスストアＣＶＳの販売処理装置２００や少なくとも一つのフランチャイズ本部ＦＣＨの本部管理装置３００からなるフランチャイズシステムに、商品出荷メーカＩＦＭのメーカ管理装置５００とユーザ操作端末１００を追加したものに相当する。
【００５２】
そこで、本実施の形態のユーザ操作端末１００は、図１等に示すように、複数種類のタバコパックＳＴＰごとに少なくとも商品ＩＤデータＴＩＤが設定されている販売商品データＴＰＤを記憶する商品記憶部１２１と、複数種類のタバコパックＳＴＰの少なくとも一部とともに一般ユーザに提供される複数種類のクロスセリング商品ＣＳＰごとにクロスセル商品データＣＰＤを記憶するクロスセル記憶部１２２と、一般ユーザの入力操作に対応してタバコパックＳＴＰを段階的に選定する商品選定画面ＴＳＧをユーザ操作端末１００に表示出力させて商品ＩＤデータＴＩＤを発生するハイパーメディアを記憶するメディア記憶部１２３と、記憶されているハイパーメディアの商品選定画面ＴＳＧを一般ユーザの入力操作に対応してタッチパネル１１１に切換表示させるメディア表示部１２４と、切換表示される商品選定画面ＴＳＧにより選定されたタバコパックＳＴＰの商品ＩＤデータＴＩＤで販売商品データＴＰＤを検索する商品検索部１２５と、検索された販売商品データＴＰＤに対応してクロスセル商品データＣＰＤを抽出するクロスセル抽出部１２６と、を有する。
【００５３】
そして、ユーザ操作端末１００のメディア表示部１２４は、抽出されたクロスセル商品データＣＰＤのクロスセリング商品ＣＳＰをクロスセリングする商品選定画面ＴＳＧもタッチパネル１１１に表示出力させる。
【００５４】
さらに、本実施の形態のユーザ操作端末１００は、販売商品データＴＰＤの少なくとも一部とクロスセル商品データＣＰＤの少なくとも一部との組み合わせをクロスセルセットデータＣＳＤとして記憶するクロスセリング管理部１２７も有する。
【００５５】
このため、ユーザ操作端末１００のクロスセル抽出部１２６は、詳細には後述するが、検索された販売商品データＴＰＤに整合するクロスセルセットデータＣＳＤで該当するクロスセル商品データＣＰＤを抽出する。
【００５６】
また、メディア表示部１２４は、一般ユーザの入力操作により選定されたタバコパックＳＴＰとともに推奨するクロスセリング商品ＣＳＰを提示する商品選定画面ＴＳＧをタッチパネル１１１に表示出力させる。
【００５７】
さらに、ユーザ操作端末１００は、切換表示される商品選定画面ＴＳＧにより選定されたタバコパックＳＴＰの商品ＩＤデータＴＩＤを特定の入力操作に対応して販売処理装置２００に送信するＩＤ提供部１２８も有する。
【００５８】
より具体的には、本実施の形態のフランチャイズアドオンシステム１０００では、販売処理装置２００は、いわゆる電子キャッシュレジスタやＰＯＳ端末からなり、図５に示すように、コンビニエンスストアＣＶＳの店舗レジ位置に少なくとも一個が設置されている。
【００５９】
図２に示すように、コンビニエンスストアＣＶＳのバックヤードには店舗コンピュータ４００が設置されている。コンビニエンスストアＣＶＳの販売処理装置２００は、例えば、店舗コンピュータ４００を経由して広域ＬＡＮ（Ｌｏｃａｌ  Ａｒｅａ  Ｎｅｔｗｏｒｋ）等のセキュアな通信ネットワークＷＡＮでフランチャイズ本部ＦＣＨの本部管理装置３００に接続されている。
【００６０】
この本部管理装置３００は、いわゆるフランチャイズ本部ＦＣＨのＰＯＳサーバなどからなり、複数のコンビニエンスストアＣＶＳの販売処理装置２００から販売履歴データＳＲＤを収集して管理する。
【００６１】
ただし、本実施の形態のフランチャイズアドオンシステム１０００では、図２および図５に示すように、コンビニエンスストアＣＶＳの店舗レジ位置の販売処理装置２００の近傍にユーザ操作端末１００が個々に併設されている。
【００６２】
本実施の形態のフランチャイズアドオンシステム１０００では、図２に示すように、例えば、ユーザ操作端末１００は、例えば、販売処理装置２００や本部管理装置３００を経由するなどして商品出荷メーカＩＦＭのメーカ管理装置５００に接続されている。
【００６３】
そこで、このメーカ管理装置５００は、例えば、ユーザ操作端末１００に登録される販売商品データＴＰＤとクロスセル商品データＣＰＤとハイパーメディアＨＰＭとクロスセルセットデータＣＳＤとを記憶するデータ記憶部を有する（図示せず）。
【００６４】
さらに、メーカ管理装置５００は、上述のように記憶されている販売商品データＴＰＤとクロスセル商品データＣＰＤとハイパーメディアＨＰＭとクロスセルセットデータＣＳＤとをユーザ操作端末１００にオンラインで提供するデータ提供部も有する（図示せず）。メーカ管理装置５００は、上述のような各部を論理的に実現するため、図２に示すように、専用のコンピュータプログラムＭＣＰが実装されている。
【００６５】
なお、本実施の形態では説明を簡単とするため、上述のように店頭販売商品としてタバコパックＳＴＰを例示する。従って、販売商品データＴＰＤは、例えば、タバコ銘柄などの商品ＩＤデータＴＩＤごとに、タバコパックＳＴＰの各種の商品属性データＴＡＤと販売価格データＳＶＤとが設定されたデータ構造からなる。
【００６６】
また、クロスセリング商品ＣＳＰは、タバコパックＳＴＰとのクロスセリングに好適な各種製品からなり、例えば、携帯灰皿、使い捨てライタ、タバコケース、等からなる。このようなクロスセリング商品ＣＳＰのクロスセル商品データＣＰＤも、基本的には販売商品データＴＰＤと同一のデータ構造に構築されている。
【００６７】
クロスセルセットデータＣＳＤは、特定の販売商品データＴＰＤごとにクロスセリングされるクロスセル商品データＣＰＤが設定されたデータ構造からなる。ただし、その販売商品データＴＰＤおよびクロスセル商品データＣＰＤは、実際には商品ＩＤデータＴＩＤのみでよい(図示せず)。
【００６８】
上述のような各種データがメーカ管理装置５００から提供されるユーザ操作端末１００は、図３および図４に示すように、一般ユーザに入力操作されるタッチパネル１１１、タバコパックＳＴＰなどに付与されている商品ＩＤデータＴＩＤのバーコード画像を光学読取するバーコードリーダ１１２、図２に示すように、実装されているコンピュータプログラムＴＣＰＴＣＰに対応して各部を統合制御するコンピュータユニット１１３、販売処理装置２００とデータ通信するデータ通信ユニット１１４、等のハードウェアを有している。
【００６９】
上述のコンピュータユニット１１３が実装されているコンピュータプログラムＴＣＰに対応して各部を統合制御することにより、前述の各部１２１〜がユーザ操作端末１００に論理的に実現されている。
【００７０】
例えば、商品記憶部１２１とクロスセル記憶部１２２とメディア記憶部１２３とクロスセリング管理部１２７とは、コンピュータユニット１１３がコンピュータプログラムＴＣＰに対応してメモリデバイスの記憶エリアを認識する機能などに相当する。
【００７１】
メディア表示部１２４は、コンピュータユニット１１３がコンピュータプログラムＴＣＰに対応してタッチパネル１１１の画像表示と入力操作とを統合制御する機能などに相当する。
【００７２】
商品検索部１２５およびクロスセル抽出部１２６は、詳細には後述するが、コンピュータユニット１１３がコンピュータプログラムＴＣＰに対応して記憶データを検索処理する機能などに相当する。ＩＤ提供部１２８は、コンピュータユニット１１３がコンピュータプログラムＴＣＰに対応してデータ通信ユニット１１４のデータ通信を動作制御する機能などに相当する。
【００７３】
上述のようなユーザ操作端末１００のコンピュータプログラムＴＣＰは、例えば、複数種類のタバコパックＳＴＰごとに少なくとも商品ＩＤデータＴＩＤが設定されている販売商品データＴＰＤを記憶する商品記憶処理と、複数種類のタバコパックＳＴＰの少なくとも一部とともに一般ユーザに提供される複数種類のクロスセリング商品ＣＳＰごとにクロスセル商品データＣＰＤを記憶するクロスセル記憶処理と、一般ユーザの入力操作に対応してタバコパックＳＴＰを段階的に選定する商品選定画面ＴＳＧをユーザ操作端末１００に表示出力させて商品ＩＤデータＴＩＤを発生するハイパーメディアを記憶するメディア記憶処理と、記憶されているハイパーメディアの商品選定画面ＴＳＧを一般ユーザの入力操作に対応してタッチパネル１１１に切換表示させるメディア表示処理と、切換表示される商品選定画面ＴＳＧにより選定されたタバコパックＳＴＰの商品ＩＤデータＴＩＤで販売商品データＴＰＤを検索する商品検索処理と、検索された販売商品データＴＰＤに対応してクロスセル商品データＣＰＤを抽出するクロスセル抽出処理と、をユーザ操作端末１００に実行させるように記述されている。
【００７４】
なお、上述のコンピュータプログラムＴＣＰは、メディア表示処理として、抽出されたクロスセル商品データＣＰＤのクロスセリング商品ＣＳＰをクロスセリングする商品選定画面ＴＳＧもタッチパネル１１１に表示出力させる。
【００７５】
さらに、上述のコンピュータプログラムＴＣＰは、販売商品データＴＰＤの少なくとも一部とクロスセル商品データＣＰＤの少なくとも一部との組み合わせをクロスセルセットデータＣＳＤとして記憶するクロスセリング管理処理も、ユーザ操作端末１００に実行させるように記述されている。
【００７６】
このため、上述のクロスセル抽出処理では、検索された販売商品データＴＰＤに整合するクロスセルセットデータＣＳＤで該当するクロスセル商品データＣＰＤが抽出される。
【００７７】
また、上述のコンピュータプログラムＴＣＰは、切換表示される商品選定画面ＴＳＧにより選定されたタバコパックＳＴＰの商品ＩＤデータＴＩＤを特定の入力操作に対応して販売処理装置２００に送信するＩＤ提供処理も、ユーザ操作端末１００に実行させるように記述されている。
【００７８】
なお、上述のメディア表示処理では、一般ユーザの入力操作により選定されたタバコパックＳＴＰとともに推奨するクロスセリング商品ＣＳＰを提示する商品選定画面ＴＳＧがタッチパネル１１１に表示出力される。
【００７９】
また、ユーザ操作端末１００には、前述のようにメーカ管理装置５００から提供されるタバコパックＳＴＰの販売商品データＴＰＤとクロスセル商品データＣＰＤとハイパーメディアＨＰＭとクロスセルセットデータＣＳＤもコンピュータリソースとして登録される。
【００８０】
上述のような構成において、コンビニエンスストアＣＶＳの店頭販売商品であるタバコパックＳＴＰは、図５に示すように、いわゆる店舗レジ位置の後方に商品ラックなどで陳列されており、一般ユーザの自由なアクセスは困難な場合がある。
【００８１】
このため、タバコパックＳＴＰの購入を希望する一般ユーザは、店舗レジ位置の店舗作業員にタバコ銘柄と個数などを口頭で通達することで、所望のタバコパックＳＴＰを購入していた。
【００８２】
その場合、図６に示すように、タバコパックＳＴＰには商品ＩＤデータＴＩＤがバーコード画像として表記されているので、店舗作業員がタバコパックＳＴＰのバーコード画像を販売処理装置２００のバーコードリーダに光学読取させることで商品ＩＤデータＴＩＤを入力する。
【００８３】
すると、その商品ＩＤデータＴＩＤでタバコパックＳＴＰの販売処理が実行されて販売履歴データＳＲＤが生成される。この販売履歴データＳＲＤはコンビニエンスストアＣＶＳの販売処理装置２００からフランチャイズ本部ＦＣＨの本部管理装置３００に送信される。
【００８４】
この本部管理装置３００は、販売戦略の立案などに利用できるように、上述のように多数のコンビニエンスストアＣＶＳの販売処理装置２００から販売履歴データＳＲＤを収集して管理する。
【００８５】
さらに、商品出荷メーカＩＦＭのメーカ管理装置５００は、例えば、フランチャイズ本部ＦＣＨとの契約により、出荷したタバコパックＳＴＰの販売履歴データを本部管理装置３００から取得して管理する。このため、商品出荷メーカＩＦＭも、出荷するタバコパックＳＴＰの販売戦略の立案に販売履歴データＳＲＤを利用することができる。
【００８６】
ただし、本実施の形態のフランチャイズアドオンシステム１０００では、図５に示すように、店舗作業員が入力操作する販売処理装置２００の近傍に、一般ユーザが入力操作するユーザ操作端末１００が併設されている。
【００８７】
このユーザ操作端末１００は、例えば、メーカ管理装置５００から事前に提供されている販売商品データＴＰＤおよびハイパーメディアＨＰＭを記憶している。このような状態で、ユーザ操作端末１００は、図７に示すように、そのハイパーメディアＨＰＭの初期状態の商品選定画面ＴＳＧをタッチパネル１１１に表示出力する(ステップＳ１)。
【００８８】
この初期状態の商品選定画面ＴＳＧには、例えば、「タバコの購入を希望される方は以下から選択してください」などのガイダンスメッセージとともに、「タバコ銘柄Ａ，タバコ銘柄Ｂ，タバコ銘柄Ｃ，…」などの主要な商品名称が、タバコパックＳＴＰの外観画像の操作アイコンなどとして表示出力される(図示せず)。
【００８９】
さらに、「または、以下の条件選択で所望のタバコを選定してください」などのガイダンスメッセージとともに、「ロング，ミドル，ショート」「メンソールあり，メンソールなし」「新製品，売れ筋」等の選択条件が操作アイコンとして表示出力される(図示せず)。
【００９０】
そこで、上述のような商品選定画面ＴＳＧを一般ユーザが所望により入力操作すると(ステップＳ２−Ｙ)、その入力操作に対応して商品選定画面ＴＳＧが切換表示される(ステップＳ３)。
【００９１】
そして、上述のような入力操作により特定のタバコパックＳＴＰを確定した商品選定画面ＴＳＧが切換表示されると(ステップＳ５−Ｙ)、そこに「この商品を購入しますか」などのガイダンスメッセージと「購入決定，一つもどる，トップにもどる」などの操作アイコンが、個数選択のプルダウンメニューなどとともに表示出力される(ステップＳ６)。
【００９２】
ただし、本実施の形態のユーザ操作端末１００は、上述のように一般ユーザの入力操作により商品選定画面ＴＳＧでタバコパックＳＴＰが選定されると、その商品ＩＤデータＴＩＤで販売商品データＴＰＤが検索される(ステップＳ７)。
【００９３】
その販売商品データＴＰＤに対応してクロスセリング商品ＣＳＰのクロスセリングが用意されている場合、クロスセルセットデータＣＳＤが検索されて検出される(ステップＳ８，Ｓ９−Ｙ)。
【００９４】
このように検出されたクロスセルセットデータＣＳＤで販売商品データＴＰＤに対応するクロスセル商品データＣＰＤが抽出される(ステップＳ１０)。すると、この抽出されたクロスセル商品データＣＰＤのクロスセリング商品ＣＳＰをクロスセリングする商品選定画面ＴＳＧもタッチパネル１１１に表示出力される(ステップＳ１１)。
【００９５】
この場合、例えば、一般ユーザが選定した販売商品データＴＰＤの商品選定画面ＴＳＧは、二分の一に縮小されて表示画面の上半部に表示出力され、残余の二分の一の下半部に、クロスセル商品データＣＰＤの商品選定画面ＴＳＧが表示出力される(図示せず)。
【００９６】
このとき、例えば、クロスセリングの商品選定画面ＴＳＧには「こちらの商品も御一緒にいかがでしょうか。お勧めする理由は〜」などのガイダンスデータが販売価格データＳＶＤとともに表示出力される。
【００９７】
そこで、一般ユーザがタッチパネル１１１の入力操作により自身で選定したタバコパックＳＴＰの購入希望をクロスセル商品データＣＰＤの購入希望などとともに入力操作すると(ステップＳ１２−Ｙ)、その入力操作に対応して商品ＩＤデータＴＩＤがユーザ操作端末１００から販売処理装置２００に送信される(ステップＳ１３)。
【００９８】
上述のようにタバコパックＳＴＰやクロスセリング商品ＣＳＰの商品ＩＤデータＴＩＤをユーザ操作端末１００から受信した販売処理装置２００は、前述のように店舗作業員がタバコパックＳＴＰのバーコード画像を販売処理装置２００のバーコードリーダに光学読取させて購入個数をキーボード入力した場合と同様に、タバコパックＳＴＰやクロスセリング商品ＣＳＰの販売処理が実行される。
【００９９】
このため、やはり同様に販売履歴データＳＲＤが生成されてコンビニエンスストアＣＶＳの販売処理装置２００からフランチャイズ本部ＦＣＨの本部管理装置３００に送信される。
【０１００】
このとき、その販売履歴データＳＲＤには、例えば、そのタバコパックＳＴＰの販売処理がユーザ操作端末１００の入力操作に起因しているか、そのタバコパックＳＴＰとクロスセリングされたクロスセリング商品ＣＳＰがユーザ操作端末１００により選定されたか、などの各種データも内包させることができる。
【０１０１】
なお、前述のように一般ユーザの入力操作により商品選定画面ＴＳＧでタバコパックＳＴＰが選定されて販売商品データＴＰＤが検索されても(ステップＳ５〜Ｓ７)、クロスセリング商品ＣＳＰのクロスセリングが予定されていない販売商品データＴＰＤでは、クロスセルセットデータＣＳＤが検索されない(ステップＳ９−Ｎ)。
【０１０２】
従って、この場合は一般ユーザが選定した販売商品データＴＰＤの商品選定画面ＴＳＧのみ表示出力された状態となり(ステップＳ６)、一般ユーザが購入希望を入力操作すると(ステップＳ１２−Ｙ)、その商品ＩＤデータＴＩＤのみ販売処理装置２００に送信されて販売処理される(ステップＳ１３)。
【０１０３】
また、ユーザ操作端末１００は、一般ユーザによる入力操作がない状態が所定時間まで経過すると(ステップＳ４−Ｙ)、初期状態の商品選定画面ＴＳＧを表示出力する初期状態に自動的に復帰する(ステップＳ１)。
【０１０４】
本実施の形態のフランチャイズアドオンシステム１０００では、上述のように販売処理装置２００の近傍に併設されるユーザ操作端末１００を一般ユーザが所望により入力操作すると、その入力操作に対応してハイパーメディアの商品選定画面ＴＳＧが切換表示されて段階的にタバコパックＳＴＰが選定される。
【０１０５】
このように切換表示される商品選定画面ＴＳＧにより選定されたタバコパックＳＴＰの商品ＩＤデータＴＩＤで販売商品データＴＰＤが検索され、検索された販売商品データＴＰＤに対応するクロスセル商品データＣＰＤが抽出される。すると、抽出されたクロスセル商品データＣＰＤのクロスセリング商品ＣＳＰをクロスセリングする商品選定画面ＴＳＧもタッチパネル１１１に表示出力される。
【０１０６】
このため、一般ユーザによるアクセスが容易ではないタバコパックＳＴＰなどの店頭販売商品でも、一般ユーザが所望するタバコパックＳＴＰに対応したクロスセリング商品ＣＳＰが自動的にクロスセリングされる。従って、適切なクロスセリングによりＬＴＶとリテンションを向上させることができ、新製品の販売機会損失なども防止することができる。
【０１０７】
特に、本実施の形態のユーザ操作端末１００は、販売商品データＴＰＤの少なくとも一部とクロスセル商品データＣＰＤの少なくとも一部との組み合わせをクロスセルセットデータＣＳＤとして記憶する。
【０１０８】
そして、検索された販売商品データＴＰＤに整合するクロスセルセットデータＣＳＤで該当するクロスセル商品データＣＰＤを抽出するので、タバコパックＳＴＰごとに最適なクロスセリング商品ＣＳＰを簡単な処理動作で確実に選定することができる。
【０１０９】
しかも、本実施の形態のフランチャイズアドオンシステム１０００では、ユーザ操作端末１００が切換表示される商品選定画面ＴＳＧにより選定されたタバコパックＳＴＰの商品ＩＤデータＴＩＤを特定の入力操作に対応して販売処理装置２００に送信し、販売処理装置２００が入力される商品ＩＤデータＴＩＤでタバコパックＳＴＰを販売処理して販売履歴データＳＲＤを生成する。
【０１１０】
このため、商品購入を一般ユーザが店舗作業員に口頭で指示することなく、商品ＩＤデータＴＩＤを販売処理装置２００に入力することができる。従って、一般ユーザによるアクセスが容易ではないタバコパックＳＴＰなどの店頭販売商品でも、簡単かつ迅速に販売することができ、新製品の販売機会損失なども防止することができる。
【０１１１】
さらに、上述のように販売処理されて生成される販売履歴データＳＲＤには、従来と同様に、タバコパックＳＴＰの商品ＩＤデータＴＩＤなどとともに、従来とは相違して、ユーザ操作端末１００を利用してクロスセリング商品ＣＳＰがクロスセリングされたかなどもデータ登録しておくことができる。
【０１１２】
このため、商品出荷メーカＩＦＭでは、メーカ管理装置５００で本部管理装置３００から取得して蓄積した販売履歴データＳＲＤによりクロスセリングの効果を確認することができ、より高度にクロスセリングを組み込んだ販売戦略の立案などを実現することができる。
【０１１３】
より具体的には、商品出荷メーカＩＦＭのメーカ管理装置５００は、図８に示すように、タバコパックＳＴＰの販売履歴データＳＲＤを取得すると(ステップＴ１−Ｙ)、この販売履歴データＳＲＤを蓄積する(ステップＴ２)。
【０１１４】
このような状態で、例えば、所定操作が実行されると(ステップＴ３−Ｙ)、販売履歴データＳＲＤが読み出され(ステップＴ４)、クロスセリングの有無や回数などが検出される(ステップＴ５)。
【０１１５】
検出されたクロスセリングデータは集計され(ステップＴ６)、例えば、既存のデータマイニング手法などで解析される(ステップＴ７)。その解析結果がグラフやテーブルなどとして表示出力される(ステップＴ８)。
【０１１６】
このため、商品出荷メーカＩＦＭのメーカ作業者は、クロスセリングの効果を確認することができ、より高度にクロスセリングを組み込んだ販売戦略の立案などを実現することができる。
【０１１７】
しかも、本実施の形態のユーザ操作端末１００では、一般ユーザの入力操作により選定されたタバコパックＳＴＰとともに推奨するクロスセリング商品ＣＳＰを提示する商品選定画面ＴＳＧをタッチパネル１１１に切換表示させる。
【０１１８】
このため、一般ユーザは所望により選定したタバコパックＳＴＰとともに、クロスセリングされるクロスセリング商品ＣＳＰも確認することができる。従って、所望のタバコパックＳＴＰとクロスセリング商品ＣＳＰとを一目で比較検討することができる。
【０１１９】
さらに、入力操作に対応してタバコパックＳＴＰを段階的に選定するハイパーメディアＨＰＭの商品選定画面ＴＳＧがユーザ操作端末１００のタッチパネル１１１に表示出力される。このため、一般ユーザは専門的な技能などを必要とすることなく直感的に所望のタバコパックＳＴＰを選定することができる。
【０１２０】
しかも、ユーザ操作端末１００は、一般ユーザによる入力操作がない状態が所定時間まで経過すると初期状態に自動的に復帰する。このため、商品選定を完了や中断した一般ユーザがユーザ操作端末１００から離間しても、つぎの一般ユーザが問題なくユーザ操作端末１００を入力操作することができる。
【０１２１】
本実施の形態のフランチャイズアドオンシステム１０００では、上述のように一般ユーザが所望のタバコパックＳＴＰを快適に購入することができる。このため、タバコパックＳＴＰのＬＴＶおよびリテンションを向上させることができる。
【０１２２】
なお、本発明は本実施の形態に限定されるものではなく、その要旨を逸脱しない範囲で各種の変形を許容する。例えば、上記形態では販売商品データＴＰＤとクロスセルセットデータＣＳＤとが完全に別個に管理されていることを例示した。
【０１２３】
しかし、クロスセルセットデータＣＳＤを販売商品データＴＰＤと一体に設定しておくこともできる。より具体的には、図９に示すように、このような販売商品データＴＰＤは、少なくとも一部がクロスセル商品データＣＰＤを兼用することになる。
【０１２４】
その販売商品データＴＰＤは、例えば、タバコ銘柄などの商品ＩＤデータＴＩＤごとに、販売価格データＳＶＤ、「ブランド種別」や「商品種別」等の各種の商品属性データＴＡＤ、「クロスセルオンオフ」「クロスセル商品指定」「インセンティブオンオフ」「インセンティブ内容」「告知方法」等のクロスセルセットデータＣＳＤ、が設定されたデータ構造からなる。
【０１２５】
上述のような販売商品データＴＰＤが、前述のように一般ユーザの入力操作により商品選定画面ＴＳＧで選定されると、その「クロスセル」が確認される。これで「クロスセル」がオン設定ならば「クロスセル商品指定」に設定されているクロスセル商品データＣＰＤが抽出される。このとき、「告知方法」の設定内容も取得され、その設定内容に対応してクロスセル商品データＣＰＤの商品選定画面ＴＳＧが表示出力される。
【０１２６】
さらに、上述のようにクロスセル商品データＣＰＤが抽出されたとき、「インセンティブ」も確認される。これがオン設定ならば「インセンティブ内容」の設定データが「告知方法」の設定内容に対応して商品選定画面ＴＳＧで表示出力される。
【０１２７】
この場合、例えば、タバコパックＳＴＰとともにクロスセリング商品を購入する一般ユーザに、サンプルのタバコパックＳＴＰやノベルティの携帯灰皿を無償で提供するようなことが可能となる。
【０１２８】
また、上記形態ではメーカ管理装置５００から販売商品データＴＰＤとハイパーメディアＨＰＭとを取得したユーザ操作端末１００が、一般ユーザの入力操作に対応した商品選定画面ＴＳＧの切換表示やクロスセリング処理などを基本的にスタンドアロンで実行することを例示した。
【０１２９】
しかし、ユーザ操作端末１００とメーカ管理装置５００とがリアルタイムに双方向通信し、この双方向通信により商品選定画面ＴＳＧの切換表示やクロスセリング処理などが実行されてもよい。
【０１３０】
より具体的には、このようなフランチャイズアドオンシステム(図示せず)では、メーカ管理装置５００は、複数種類のタバコパックＳＴＰごとに少なくとも商品ＩＤデータＴＩＤが設定されている販売商品データＴＰＤを記憶する商品記憶部１２１と、複数種類のタバコパックＳＴＰの少なくとも一部とともに一般ユーザに提供される複数種類のクロスセリング商品ＣＳＰごとにクロスセル商品データＣＰＤを記憶するクロスセル記憶部１２２と、一般ユーザの入力操作に対応してタバコパックＳＴＰを段階的に選定する商品選定画面ＴＳＧをユーザ操作端末１００に表示出力させて商品ＩＤデータＴＩＤを発生するハイパーメディアを記憶するメディア記憶部１２３と、記憶されている少なくともハイパーメディアをユーザ操作端末１００に提供するデータ提供部と、を有する。
【０１３１】
そこで、ユーザ操作端末１００は、メーカ管理装置５００からハイパーメディアを取得するメディア取得部と、取得されるハイパーメディアの商品選定画面ＴＳＧを一般ユーザの入力操作に対応してタッチパネル１１１に切換表示させるメディア表示部１２４と、切換表示される商品選定画面ＴＳＧにより選定されたタバコパックＳＴＰの商品ＩＤデータＴＩＤを特定の入力操作に対応してメーカ管理装置５００に送信するＩＤ送信部と、を有する。
【０１３２】
さらに、メーカ管理装置５００は、ユーザ操作端末１００から商品ＩＤデータＴＩＤを受信するＩＤ受信部と、受信された商品ＩＤデータＴＩＤで販売商品データＴＰＤを検索する商品検索部と、検索された販売商品データＴＰＤに対応してクロスセル商品データＣＰＤを抽出するクロスセル抽出部と、抽出されたクロスセル商品データＣＰＤをユーザ操作端末１００に返信するＩＤ返信部と、も有する(図示せず)。
【０１３３】
そして、ユーザ操作端末１００は、メディア表示部１２４がメーカ管理装置５００から返信されたクロスセル商品データＣＰＤのクロスセリング商品ＣＳＰをクロスセリングする商品選定画面ＴＳＧもタッチパネル１１１に表示出力させる。
【０１３４】
このようなフランチャイズアドオンシステムでは、メーカ管理装置５００とユーザ操作端末１００とのリアルタイム通信の処理負担は増大する。しかし、ユーザ操作端末１００の構造を簡単とすることができる。
【０１３５】
しかも、煩雑なアップデートを必要とすることなく常時最新の販売商品データＴＰＤとクロスセル商品データＣＰＤとハイパーメディアＨＰＭ等をメーカ管理装置５００からユーザ操作端末１００に提供することができる。
【０１３６】
また、上記形態ではユーザ操作端末１００が、販売商品データＴＰＤの少なくとも一部とクロスセル商品データＣＰＤの少なくとも一部との組み合わせをクロスセルセットデータＣＳＤとして記憶し、検索された販売商品データＴＰＤに整合するクロスセルセットデータＣＳＤで該当するクロスセル商品データＣＰＤを抽出することを例示した。
【０１３７】
しかし、前述のようにユーザ操作端末１００とメーカ管理装置５００がリアルタイムにデータ通信するフランチャイズアドオンシステム(図示せず)において、メーカ管理装置５００が、販売商品データＴＰＤの少なくとも一部とクロスセル商品データＣＰＤの少なくとも一部との組み合わせをクロスセルセットデータＣＳＤとして記憶し、ユーザ操作端末１００が、検索された販売商品データＴＰＤに整合するクロスセルセットデータＣＳＤで該当するクロスセル商品データＣＰＤを抽出してもよい。
【０１３８】
さらに、上述のようにクロスセルセットデータＣＳＤでクロスセル商品データＣＰＤを抽出するフランチャイズアドオンシステムにおいて、クロスセリング管理部１２７は、複数の販売商品データＴＰＤと少なくとも一つのクロスセル商品データＣＰＤとの組み合わせをクロスセルセットデータＣＳＤとして記憶してもよい(図示せず)。
【０１３９】
この場合、商品検索部１２５は、切換表示される商品選定画面ＴＳＧにより選定された複数のタバコパックＳＴＰの商品ＩＤデータＴＩＤで複数の販売商品データＴＰＤを検索し、クロスセル抽出部１２６は、検索された複数の販売商品データＴＰＤに整合するクロスセルセットデータＣＳＤで該当するクロスセル商品データＣＰＤを抽出すればよい。
【０１４０】
このようなフランチャイズアドオンシステムでは、複数のタバコパックＳＴＰの組み合わせに対応してクロスセリング商品ＣＳＰを推奨することができるので、より効果的なクロスセリングの実現を期待することができる。
【０１４１】
また、上記形態では店頭販売商品であるタバコパックＳＴＰとクロスセリング商品ＣＳＰとが完全に相違することを想定した。しかし、このクロスセリング商品ＣＳＰの一部ないし全部がタバコパックＳＴＰなどの店頭販売商品であってもよい。
【０１４２】
例えば、一般ユーザにより選定される店頭販売商品をパック販売のタバコパックＳＴＰとし、これに対応して推奨されるクロスセリング商品ＣＳＰを同一のタバコパックＳＴＰのタバコカートンとしておくようなこともできる。この場合、タバコパックＳＴＰに特有の購入形態であるパック購入とカートン購入とを利用して、簡単に良好な確度でクロスセリングを実施することができる。
【０１４３】
さらに、上記形態では商品記憶部１２１が複数種類のタバコパックＳＴＰごとに少なくとも商品ＩＤデータＴＩＤと各種の商品属性データＴＡＤが設定されている販売商品データＴＰＤを記憶することを例示した。
【０１４４】
そこで、クロスセル記憶部１２２も商品属性データＴＡＤが設定されているクロスセル商品データＣＰＤを記憶し、クロスセル抽出部１２６は、検索された販売商品データＴＰＤと商品属性データＴＡＤが整合するクロスセル商品データＣＰＤを抽出してもよい。
【０１４５】
この場合、事前にクロスセルセットデータＣＳＤを生成しておかなくとも、タバコパックＳＴＰの商品属性データＴＡＤに対応して適切なクロスセリング商品ＣＳＰを自動的に選定することができる。
【０１４６】
また、このようなフランチャイズアドオンシステムにおいて、前述のようにクロスセル記憶部１２２が販売商品データＴＰＤの少なくとも一部をクロスセル商品データＣＰＤとして記憶し、クロスセル抽出部１２６が検索された販売商品データＴＰＤと商品属性データＴＡＤが整合するクロスセル商品データＣＰＤを抽出してもよい。
【０１４７】
この場合、特定のタバコパックＳＴＰを選定した一般ユーザに、相関するタバコパックＳＴＰをクロスセリング商品ＣＳＰとして簡単に推奨することができ、効果的なクロスセリングを期待することができる。
【０１４８】
さらに、商品記憶部１２１は、複数種類のタバコパックＳＴＰごとに少なくとも商品ＩＤデータＴＩＤと各種の商品属性データＴＡＤと販売価格データＳＶＤとが設定されている販売商品データＴＰＤを記憶し、クロスセル抽出部１２６は、検索された販売商品データＴＰＤと商品属性データＴＡＤが整合するとともに販売価格データＳＶＤが対応するクロスセル商品データＣＰＤを抽出してもよい。
【０１４９】
この場合、特定のタバコパックＳＴＰを選定した一般ユーザに、例えば、相関して値段も同等なタバコパックＳＴＰをクロスセリング商品ＣＳＰとして簡単に推奨することができ、効果的なクロスセリングを期待することができる。
【０１５０】
また、このようなフランチャイズアドオンシステムにおいて、クロスセル抽出部１２６は、商品選定画面ＴＳＧの切換表示により選定されたタバコパックＳＴＰの販売価格データＳＶＤと抽出するクロスセル商品データＣＰＤの販売価格データＳＶＤとの割合を所定操作に対応して段階的に切り換えてもよい。
【０１５１】
この場合、一般ユーザが選定するタバコパックＳＴＰと、コンビニエンスストアＣＶＳが推奨するクロスセリング商品ＣＳＰとの、販売価格の比率を事前に設定しておくことができる。
【０１５２】
このため、非現実的なクロスセリング商品ＣＳＰが推奨されるような不具合を防止することができ、一般ユーザの満足度を向上させてクロスセリングの成功率を改善するようなことができる。
【０１５３】
さらに、上記形態では一般ユーザの入力操作により選定されたタバコパックＳＴＰとともに推奨するクロスセリング商品ＣＳＰを提示する商品選定画面ＴＳＧもタッチパネル１１１に表示出力されることを例示した。
【０１５４】
しかし、ユーザ操作端末１００が、一般ユーザの入力操作により選定されたタバコパックＳＴＰを提示する商品選定画面ＴＳＧをタッチパネル１１１に切換表示してから、推奨するクロスセリング商品ＣＳＰを提示する商品選定画面ＴＳＧを切換表示してもよい。
【０１５５】
この場合、一般ユーザが自身で選定したタバコパックＳＴＰの商品選定画面ＴＳＧの表示出力が完了してから、クロスセリング商品ＣＳＰの商品選定画面ＴＳＧが表示出力される。
【０１５６】
このため、一般ユーザに不快感を与えることを抑制でき、複数の商品選定画面ＴＳＧが時分割に表示出力されるので、複数の商品選定画面ＴＳＧの全部をフルサイズでタッチパネル１１１に表示出力することができる。
【０１５７】
また、上記形態ではユーザ操作端末１００が、切換表示される商品選定画面ＴＳＧにより選定されたタバコパックＳＴＰの商品ＩＤデータＴＩＤを特定の入力操作に対応して販売処理装置２００に送信し、販売処理装置２００が、入力される商品ＩＤデータＴＩＤでタバコパックＳＴＰを販売処理して販売履歴データＳＲＤを生成することのみ例示した。
【０１５８】
しかし、ユーザ操作端末１００が、クロスセリング商品ＣＳＰの商品ＩＤデータＴＩＤを販売処理装置２００に送信するときに所定のノベルティ提供データも送信し、販売処理装置２００が、入力される商品ＩＤデータＴＩＤでタバコパックＳＴＰが販売処理されるときにノベルティ提供データを報知出力してもよい(図示せず)。
【０１５９】
この場合、選定したタバコパックＳＴＰだけでなくクロスセリング商品ＣＳＰも購入してくれる一般ユーザに、サービスとして携帯灰皿やライタなどのノベルティグッズを提供するようなことが可能となる。なお、上述のようなノベルティ提供データの送信が所定操作に対応してオンオフされてもよい。
【０１６０】
また、上記形態ではユーザ操作端末１００がバーコードリーダ１１２を有することを例示した。そこで、このようなユーザ操作端末１００が、タバコパックＳＴＰに付与されている商品ＩＤデータＴＩＤをバーコードリーダ１１２により取得し、取得された商品ＩＤデータＴＩＤに対応した商品選定画面ＴＳＧをタッチパネル１１１に表示出力させてもよい。
【０１６１】
より具体的には、特定銘柄のタバコパックＳＴＰの購入を希望する一般ユーザは、そのタバコパックＳＴＰを所持している場合もある。そこで、前述の初期状態の商品選定画面ＴＳＧに、例えば、「購入を希望されるタバコをお持ちの方は、そのバーコードを右側のリーダに対向させてください」などのガイダンスメッセージも表示出力する(図示せず)。
【０１６２】
そこで、一般ユーザが所持しているタバコパックＳＴＰのバーコード画像をユーザ操作端末１００のハンディタイプのバーコードリーダ１１２に対向させると、これで商品ＩＤデータＴＩＤがユーザ操作端末１００に入力される。
【０１６３】
この場合、ユーザ操作端末１００は、そのタバコパックＳＴＰを確定した商品選定画面ＴＳＧを即座に切換表示する。このため、購入を希望するタバコパックＳＴＰを所持している一般ユーザは、ユーザ操作端末１００を入力操作することなく所望のタバコパックＳＴＰの購入希望を簡単に入力することができる。
【０１６４】
さらに、上記形態ではユーザ操作端末１００がバーコードリーダ１１２によりタバコパックＳＴＰのバーコード画像から商品ＩＤデータＴＩＤを取得することを例示した。しかし、ユーザ操作端末がＣＣＤカメラ(図示せず)でタバコパックＳＴＰの外観を撮像して画像認識により商品ＩＤデータＴＩＤを発生してもよい。
【０１６５】
また、ユーザ操作端末がタバコパックＳＴＰの二次元コードなどを撮像して商品ＩＤデータＴＩＤを取得してもよい(図示せず)。なお、いわゆるＱＲコード(登録商標)などの二次元コードは、単純な印刷で大容量データを記録できる。
【０１６６】
そこで、タバコパックＳＴＰの二次元コードに携帯灰皿などのノベルティグッズの商品ＩＤデータＴＩＤも記録しておき、そのノベルティグッズの商品ＩＤデータＴＩＤをタバコパックＳＴＰの商品ＩＤデータＴＩＤとともにユーザ操作端末に取得させてもよい(図示せず)。
【０１６７】
この場合、一般ユーザがタバコパックＳＴＰの二次元コードをユーザ操作端末に対向させれば、販売処理装置２００から店舗作業者にタバコパックＳＴＰの商品ＩＤデータＴＩＤとともに無料のノベルティグッズの商品ＩＤデータＴＩＤも出力される。このため、一般ユーザも店舗作業者も特別な配慮などを必要とすることなく、タバコパックＳＴＰを購入する一般ユーザにノベルティグッズを提供することができる。
【０１６８】
また、上記形態ではユーザ操作端末１００のタッチパネル１１１にハンディタイプのバーコードリーダ１１２がカールコードで接続されていることを例示した。しかし、タッチパネル１１１の前面側部などにバーコードリーダが内蔵されていてもよい(図示せず)。
【０１６９】
また、ユーザ操作端末が、バーコードリーダや磁気リーダやＲＦＩＤ（Radio Frequency Identification）リーダなどの入力デバイスを有し、それでタバコパックＳＴＰのバーコードや磁気ストライプやＲＦＩＤチップから商品ＩＤデータＴＩＤを取得してもよい(図示せず)。
【０１７０】
さらに、上記形態では説明を簡単とするため、ユーザ操作端末１００が店頭販売商品としてタバコパックＳＴＰの商品選定画面ＴＳＧをハイパーメディアＨＰＭにより表示出力することのみ例示した。しかし、本発明のフランチャイズアドオンシステムは、一般ユーザの入力操作により選定される各種の店頭販売商品に適用することができる。
【０１７１】
また、上記形態ではユーザ操作端末１００は入力操作が検出されないと所定時間の経過後に初期状態の商品選定画面ＴＳＧをタッチパネル１１１に表示出力させることを例示した。
【０１７２】
しかし、ユーザ操作端末１００が販売処理装置２００に送信した商品ＩＤデータＴＩＤで販売処理が実行されると、その販売完了を販売処理装置２００が返信することでユーザ操作端末１００が初期状態に復帰してもよい。
【０１７３】
さらに、本実施の形態ではユーザ操作端末１００やメーカ管理装置５００などの各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【０１７４】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
（付記１）
複数のフランチャイズ店舗に個々に設置されて店頭販売商品を付与されている商品ＩＤ（Ｉｄｅｎｔｉｔｙ）データで販売処理して販売履歴データを生成する販売処理装置の近傍に併設される商品出荷メーカのユーザ操作端末であって、
一般ユーザに入力操作されるタッチパネルと、
複数種類の前記店頭販売商品ごとに少なくとも前記商品ＩＤデータが設定されている販売商品データを記憶する商品記憶部と、
複数種類の前記店頭販売商品の少なくとも一部とともに一般ユーザに提供される複数種類のクロスセリング商品ごとにクロスセル商品データを記憶するクロスセル記憶部と、
前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶部と、
記憶されている前記ハイパーメディアの前記商品選定画面を前記一般ユーザの入力操作に対応して前記タッチパネルに切換表示させるメディア表示部と、
切換表示される前記商品選定画面により選定された前記店頭販売商品の前記商品ＩＤデータで前記販売商品データを検索する商品検索部と、
検索された前記販売商品データに対応して前記クロスセル商品データを抽出するクロスセル抽出部と、を有し、
前記メディア表示部は、抽出された前記クロスセル商品データの前記クロスセリング商品をクロスセリングする前記商品選定画面も前記タッチパネルに表示出力させるユーザ操作端末。
（付記２）
複数のフランチャイズ店舗に個々に設置されて店頭販売商品を付与されている商品ＩＤデータで販売処理して販売履歴データを生成する販売処理装置の近傍に併設される商品出荷メーカのユーザ操作端末であって、
一般ユーザに入力操作されるタッチパネルと、
商品出荷メーカに設置されて少なくとも出荷して販売された前記店頭販売商品の前記販売履歴データを管理するメーカ管理装置から前記一般ユーザの入力操作に対応して前記店頭販売商品を段階的に選定する商品選定画面を前記ユーザ操作端末に表示出力させて前記商品ＩＤデータを発生するハイパーメディアを取得するメディア取得部と、
取得される前記ハイパーメディアの前記商品選定画面を前記一般ユーザの入力操作に対応して前記タッチパネルに切換表示させるメディア表示部と、
切換表示される前記商品選定画面により選定された前記店頭販売商品の前記商品ＩＤデータを特定の入力操作に対応して前記メーカ管理装置に送信するＩＤ送信部と、を有し、
前記メディア表示部は、送信した前記商品ＩＤデータに対応して前記メーカ管理装置から返信されるクロスセル商品データで前記店頭販売商品とともに提供されるクロスセリング商品の前記商品選定画面も前記タッチパネルに表示出力させるユーザ操作端末。
（付記３）
前記販売商品データの少なくとも一部と前記クロスセル商品データの少なくとも一部との組み合わせをクロスセルセットデータとして記憶するクロスセリング管理部を、さらに有し、
前記クロスセル抽出部は、検索された前記販売商品データに整合する前記クロスセルセットデータで該当する前記クロスセル商品データを抽出する付記１に記載のユーザ操作端末。
（付記４）
前記クロスセリング管理部は、複数の前記販売商品データと少なくとも一つの前記クロスセル商品データとの組み合わせを前記クロスセルセットデータとして記憶し、
前記商品検索部は、切換表示される前記商品選定画面により選定された複数の前記店頭販売商品の前記商品ＩＤデータで複数の前記販売商品データを検索し、
前記クロスセル抽出部は、検索された複数の前記販売商品データに整合する前記クロスセルセットデータで該当する前記クロスセル商品データを抽出する付記３に記載のユーザ操作端末。
（付記５）
前記商品記憶部は、複数種類の前記店頭販売商品ごとに少なくとも前記商品ＩＤデータと各種の商品属性データが設定されている販売商品データを記憶し、
前記クロスセル記憶部は、前記商品属性データが設定されている前記クロスセル商品データを記憶し、
前記クロスセル抽出部は、検索された前記販売商品データと前記商品属性データが整合する前記クロスセル商品データを抽出する付記１に記載のユーザ操作端末。
（付記６）
前記商品記憶部は、複数種類の前記店頭販売商品ごとに少なくとも前記商品ＩＤデータと各種の商品属性データが設定されている販売商品データを記憶し、
前記クロスセル記憶部は、前記販売商品データの少なくとも一部を前記クロスセル商品データとして記憶し、
前記クロスセル抽出部は、検索された前記販売商品データと前記商品属性データが整合する前記クロスセル商品データを抽出する付記５に記載のユーザ操作端末。
（付記７）
前記商品記憶部は、複数種類の前記店頭販売商品ごとに少なくとも前記商品ＩＤデータと各種の商品属性データと販売価格データとが設定されている販売商品データを記憶し、
前記クロスセル抽出部は、検索された前記販売商品データと前記商品属性データが整合するとともに前記販売価格データが対応する前記クロスセル商品データを抽出する付記６に記載のユーザ操作端末。
（付記８）
前記クロスセル抽出部は、前記商品選定画面の切換表示により選定された前記店頭販売商品の前記販売価格データと抽出する前記クロスセル商品データの前記販売価格データとの割合を所定操作に対応して段階的に切り換える付記７に記載のユーザ操作端末。
（付記９）
前記ユーザ操作端末は、切換表示される前記商品選定画面により選定された前記店頭販売商品の前記商品ＩＤデータを特定の入力操作に対応して前記販売処理装置に送信するＩＤ提供部を、さらに有する付記１ないし８の何れか１つに記載のユーザ操作端末。
（付記１０）
前記メディア表示部は、前記一般ユーザの入力操作により選定された前記店頭販売商品とともに前記クロスセリング商品を提示する前記商品選定画面を前記タッチパネルに表示出力させる付記１ないし９の何れか１つに記載のユーザ操作端末。
（付記１１）
前記メディア表示部は、前記一般ユーザの入力操作により選定された前記店頭販売商品を提示する前記商品選定画面を前記タッチパネルに切換表示させてから前記クロスセリング商品を提示する前記商品選定画面を切換表示させる付記１ないし９の何れか１つに記載のユーザ操作端末。
（付記１２）
前記ユーザ操作端末は、前記店頭販売商品に付与されている前記商品ＩＤデータを取得するＩＤ取得部を、さらに有し、
前記メディア表示部は、取得された前記商品ＩＤデータに対応した前記商品選定画面を前記タッチパネルに表示出力させる付記１ないし１１の何れか１つに記載のユーザ操作端末。
（付記１３）
前記店頭販売商品の少なくとも一部がタバコパックからなる付記１ないし１２の何れか１つに記載のユーザ操作端末。
（付記１４）
複数のフランチャイズ店舗に個々に設置されて店頭販売商品を付与されている商品ＩＤデータで販売処理して販売履歴データを生成する販売処理装置と、商品出荷メーカに設置されて少なくとも出荷して販売された前記店頭販売商品の前記販売履歴データを管理するメーカ管理装置と、を有するフランチャイズアドオンシステムであって、
一般ユーザに入力操作されるタッチパネルを有して前記販売処理装置の近傍に併設されるユーザ操作端末を有し、
前記ユーザ操作端末は、複数種類の前記店頭販売商品ごとに少なくとも前記商品ＩＤデータが設定されている販売商品データを記憶する商品記憶部と、複数種類の前記店頭販売商品の少なくとも一部とともに一般ユーザに提供される複数種類のクロスセリング商品ごとにクロスセル商品データを記憶するクロスセル記憶部と、前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶部と、記憶されている前記ハイパーメディアの前記商品選定画面を前記一般ユーザの入力操作に対応して前記タッチパネルに切換表示させるメディア表示部と、切換表示される前記商品選定画面により選定された前記店頭販売商品の前記商品ＩＤデータで前記販売商品データを検索する商品検索部と、検索された前記販売商品データに対応して前記クロスセル商品データを抽出するクロスセル抽出部と、を有し、
前記メディア表示部は、抽出された前記クロスセル商品データの前記クロスセリング商品をクロスセリングする前記商品選定画面も前記タッチパネルに表示出力させるフランチャイズアドオンシステム。
（付記１５）
複数のフランチャイズ店舗に個々に設置されて店頭販売商品を付与されている商品ＩＤデータで販売処理して販売履歴データを生成する販売処理装置と、商品出荷メーカに設置されて少なくとも出荷して販売された前記店頭販売商品の前記販売履歴データを管理するメーカ管理装置と、を有するフランチャイズアドオンシステムであって、
一般ユーザに入力操作されるタッチパネルを有して前記販売処理装置の近傍に併設されるユーザ操作端末を有し、
前記メーカ管理装置は、複数種類の前記店頭販売商品ごとに少なくとも前記商品ＩＤデータが設定されている販売商品データを記憶する商品記憶部と、複数種類の前記店頭販売商品の少なくとも一部とともに一般ユーザに提供される複数種類のクロスセリング商品ごとにクロスセル商品データを記憶するクロスセル記憶部と、前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶部と、記憶されている少なくとも前記ハイパーメディアを前記ユーザ操作端末に提供するデータ提供部と、を有し、
前記ユーザ操作端末は、前記メーカ管理装置から前記ハイパーメディアを取得するメディア取得部と、取得される前記ハイパーメディアの前記商品選定画面を前記一般ユーザの入力操作に対応して前記タッチパネルに切換表示させるメディア表示部と、切換表示される前記商品選定画面により選定された前記店頭販売商品の前記商品ＩＤデータを特定の入力操作に対応して前記メーカ管理装置に送信するＩＤ送信部と、を有し、
前記メーカ管理装置は、前記ユーザ操作端末から前記商品ＩＤデータを受信するＩＤ受信部と、受信された前記商品ＩＤデータで前記販売商品データを検索する商品検索部と、検索された前記販売商品データに対応して前記クロスセル商品データを抽出するクロスセル抽出部と、抽出された前記クロスセル商品データを前記ユーザ操作端末に返信するＩＤ返信部とを、さらに有し、
前記ユーザ操作端末は、前記メディア表示部が前記メーカ管理装置から返信された前記クロスセル商品データの前記クロスセリング商品をクロスセリングする前記商品選定画面も前記タッチパネルに表示出力させるフランチャイズアドオンシステム。
（付記１６）
前記メーカ管理装置は、前記販売商品データの少なくとも一部と前記クロスセル商品データの少なくとも一部との組み合わせをクロスセルセットデータとして記憶するクロスセリング管理部を、さらに有し、
前記クロスセル抽出部は、検索された前記販売商品データに整合する前記クロスセルセットデータで該当する前記クロスセル商品データを抽出する付記１５に記載のフランチャイズアドオンシステム。
（付記１７）
前記クロスセリング管理部は、複数の前記販売商品データと少なくとも一つの前記クロスセル商品データとの組み合わせを前記クロスセルセットデータとして記憶し、
前記商品検索部は、切換表示される前記商品選定画面により選定された複数の前記店頭販売商品の前記商品ＩＤデータで複数の前記販売商品データを検索し、
前記クロスセル抽出部は、検索された複数の前記販売商品データに整合する前記クロスセルセットデータで該当する前記クロスセル商品データを抽出する付記１６に記載のフランチャイズアドオンシステム。
（付記１８）
前記商品記憶部は、複数種類の前記店頭販売商品ごとに少なくとも前記商品ＩＤデータと各種の商品属性データが設定されている販売商品データを記憶し、
前記クロスセル記憶部は、前記商品属性データが設定されている前記クロスセル商品データを記憶し、
前記クロスセル抽出部は、検索された前記販売商品データと前記商品属性データが整合する前記クロスセル商品データを抽出する付記１４または１５に記載のフランチャイズアドオンシステム。
（付記１９）
前記商品記憶部は、複数種類の前記店頭販売商品ごとに少なくとも前記商品ＩＤデータと各種の商品属性データが設定されている販売商品データを記憶し、
前記クロスセル記憶部は、前記販売商品データの少なくとも一部を前記クロスセル商品データとして記憶し、
前記クロスセル抽出部は、検索された前記販売商品データと前記商品属性データが整合する前記クロスセル商品データを抽出する付記１７に記載のフランチャイズアドオンシステム。
（付記２０）
前記商品記憶部は、複数種類の前記店頭販売商品ごとに少なくとも前記商品ＩＤデータと各種の商品属性データと販売価格データとが設定されている販売商品データを記憶し、
前記クロスセル抽出部は、検索された前記販売商品データと前記商品属性データが整合するとともに前記販売価格データが対応する前記クロスセル商品データを抽出する付記１９に記載のフランチャイズアドオンシステム。
（付記２１）
前記クロスセル抽出部は、前記商品選定画面の切換表示により選定された前記店頭販売商品の前記販売価格データと抽出する前記クロスセル商品データの前記販売価格データとの割合を所定操作に対応して段階的に切り換える付記２０に記載のフランチャイズアドオンシステム。
（付記２２）
前記ユーザ操作端末は、切換表示される前記商品選定画面により選定された前記店頭販売商品の前記商品ＩＤデータを特定の入力操作に対応して前記販売処理装置に送信するＩＤ提供部を、さらに有し、
前記販売処理装置は、入力される前記商品ＩＤデータで前記店頭販売商品を販売処理して前記販売履歴データを生成する販売処理部を有する付記１４ないし２１の何れか１つに記載のフランチャイズアドオンシステム。
（付記２３）
付記１５に記載のフランチャイズアドオンシステムの前記メーカ管理装置であって、
複数種類の前記店頭販売商品ごとに少なくとも前記商品ＩＤデータが設定されている販売商品データを記憶する商品記憶部と、
複数種類の前記店頭販売商品の少なくとも一部とともに一般ユーザに提供される複数種類のクロスセリング商品ごとにクロスセル商品データを記憶するクロスセル記憶部と、
前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶部と、
記憶されている少なくとも前記ハイパーメディアを前記ユーザ操作端末に提供するデータ提供部と、
前記ユーザ操作端末から前記商品ＩＤデータを受信するＩＤ受信部と、
受信された前記商品ＩＤデータで前記販売商品データを検索する商品検索部と、
検索された前記販売商品データに対応して前記クロスセル商品データを抽出するクロスセル抽出部と、
抽出された前記クロスセル商品データを前記ユーザ操作端末に返信するＩＤ返信部と、
を有するメーカ管理装置。
（付記２４）
付記１に記載のユーザ操作端末のためのコンピュータプログラムであって、
複数種類の前記店頭販売商品ごとに少なくとも前記商品ＩＤデータが設定されている販売商品データを記憶する商品記憶処理と、
複数種類の前記店頭販売商品の少なくとも一部とともに一般ユーザに提供される複数種類のクロスセリング商品ごとにクロスセル商品データを記憶するクロスセル記憶処理と、
前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶処理と、
記憶されている前記ハイパーメディアの前記商品選定画面を前記一般ユーザの入力操作に対応して前記タッチパネルに切換表示させるメディア表示処理と、
切換表示される前記商品選定画面により選定された前記店頭販売商品の前記商品ＩＤデータで前記販売商品データを検索する商品検索処理と、
検索された前記販売商品データに対応して前記クロスセル商品データを抽出するクロスセル抽出処理と、を有し、
前記メディア表示処理として、抽出された前記クロスセル商品データの前記クロスセリング商品をクロスセリングする前記商品選定画面も前記タッチパネルに表示出力させるコンピュータプログラム。
（付記２５）
付記２に記載のユーザ操作端末のためのコンピュータプログラムであって、
前記メーカ管理装置から前記ハイパーメディアを取得するメディア取得処理と、
取得される前記ハイパーメディアの前記商品選定画面を前記一般ユーザの入力操作に対応して前記タッチパネルに切換表示させるメディア表示処理と、
切換表示される前記商品選定画面により選定された前記店頭販売商品の前記商品ＩＤデータを特定の入力操作に対応して前記メーカ管理装置に送信するＩＤ送信処理と、を有し、
前記メディア表示処理として、前記メーカ管理装置から返信された前記クロスセル商品データの前記クロスセリング商品をクロスセリングする前記商品選定画面も前記タッチパネルに表示出力させるコンピュータプログラム。
（付記２６）
付記２３に記載の前記メーカ管理装置のためのコンピュータプログラムであって、
複数種類の前記店頭販売商品ごとに少なくとも前記商品ＩＤデータが設定されている販売商品データを記憶する商品記憶処理と、
複数種類の前記店頭販売商品の少なくとも一部とともに一般ユーザに提供される複数種類のクロスセリング商品ごとにクロスセル商品データを記憶するクロスセル記憶処理と、
前記一般ユーザの入力操作に対応して前記店頭販売商品を段階的に選定する商品選定画面を前記ユーザ操作端末に表示出力させて前記商品ＩＤデータを発生するハイパーメディアを記憶するメディア記憶処理と、
記憶されている少なくとも前記ハイパーメディアを前記ユーザ操作端末に提供するデータ提供処理と、
前記ユーザ操作端末から前記商品ＩＤデータを受信するＩＤ受信処理と、
受信された前記商品ＩＤデータで前記販売商品データを検索する商品検索処理と、
検索された前記販売商品データに対応して前記クロスセル商品データを抽出するクロスセル抽出処理と、
抽出された前記クロスセル商品データを前記ユーザ操作端末に返信するＩＤ返信処理と、
を有するコンピュータプログラム。
【図面の簡単な説明】
【０１７５】
【図１】本発明の実施の形態のフランチャイズアドオンシステムの論理構造を示す模式図である。
【図２】フランチャイズアドオンシステムの物理構造を示すブロック図である。
【図３】ユーザ操作端末の物理構造を示すブロック図である。
【図４】ユーザ操作端末の外観を示す斜視図である。
【図５】フランチャイズ店舗であるコンビニエンスストアの内部レイアウトを示す模式的な斜視図である。
【図６】店頭販売商品であるタバコパックの外観を示す斜視図である。
【図７】ユーザ操作端末のデータ処理方法を示すフローチャートである。
【図８】メーカ管理装置のデータ処理方法を示すフローチャートである。
【図９】一変形例のフランチャイズアドオンシステムの販売商品データのデータ構造を示す模式図である。
【符号の説明】
【０１７６】
１００    ユーザ操作端末
１１１    タッチパネル
１１２    バーコードリーダ
１１３    コンピュータユニット
１１４    データ通信ユニット
１２１    商品記憶部
１２２    クロスセル記憶部
１２３    メディア記憶部
１２４    メディア表示部
１２５    商品検索部
１２６    クロスセル抽出部
１２７    クロスセリング管理部
１２８    ＩＤ提供部
２００    販売処理装置
２１０    販売処理部
２２０    履歴送信部
３００    本部管理装置
３１０    履歴収集部
３２０    履歴管理部
４００    店舗コンピュータ
５００    メーカ管理装置
１０００    フランチャイズアドオンシステム
ＣＰＤ    クロスセル商品データ
ＣＳＤ    クロスセルセットデータ
ＣＳＰ    クロスセリング商品
ＣＶＳ    コンビニエンスストア
ＦＣＨ    フランチャイズ本部
ＨＰＭ    ハイパーメディア
ＩＦＭ    商品出荷メーカ
ＳＲＤ    販売履歴データ
ＳＴＰ    タバコパック
ＳＶＤ    販売価格データ
ＴＡＤ    商品属性データ
ＴＣＰ    コンピュータプログラム
ＴＩＤ    商品ＩＤデータ
ＴＰＤ    販売商品データ
ＴＳＧ    商品選定画面
【図１】
0005130093.tif 000002
【図２】
0005130093.tif 000003
【図３】
0005130093.tif 000004
【図４】
0005130093.tif 000005
【図５】
0005130093.tif 000006
【図６】
0005130093.tif 000007
【図７】
0005130093.tif 000008
【図８】
0005130093.tif 000009
【図９】
0005130093.tif 000010